(57)【要約】【課題】スキー靴サイズの変更に対応して簡単な操作で靴センター位置を移動できるスキー靴締め具の前後位置調節可能なトゥピースを簡易な構成で提供する。【解決手段】スキー板へネジ止めされる固定板２１のスライド保持部２２が、両側方で前後方向へ相互平行に伸びてトゥピースシェル１１のスライド被保持部１２をスライド可能に保持しており、十字架状に前後方向へ伸びた係止解除レバー３１は、後端部３６を支点とする若干の上下方向の回動のみ許容され且つバネ３９によって下方に押圧された状態でトゥピースシェル１１の下面の溝１３および横向溝１４に収容されていて、下面に突起形成された被係止部３２が固定板２１の係止部２３に前後方向へ連続して並んでいる複数の歯型のいずれかと噛合い係止される。操作部３４を上方へ持ち上げることによって噛合い係止を解除してトゥピースシェル１１を任意に移動できる。【選択図】  図２
2004357989.tif 000002
【特許請求の範囲】
【請求項１】
スキー靴の爪先部を保持するトゥピースおよび踵部を保持するヒールピースにより構成され、それぞれがスキー板に固定されるスキー靴締め具の前記トゥピースであって、
該トゥピースの外殻部材であるトゥピースシェルは、下部の両側方で前後方向へ相互平行に伸びたスライド被保持部と、下向面の略巾中央に下面の溝を備え、
複数個の穴でスキー板へネジ止めされる固定板は、両側方で前記スライド被保持部に対応した断面形状で相互平行に伸びて前記トゥピースシェルを前後方向へスライド可能に保持するスライド保持部と、略巾中央には前後方向に連続して並んでいる複数の歯型形状の穴あるいは凹みからなる係止部を備えて、前記トゥピースシェルの下方に配置されており、
前記トゥピースシェルと前記固定板との間に配置されて前後方向に伸びた係止解除レバーは、一方の端部を支点とする若干の上下方向の回動のみ許容され、且つ１個又は複数のバネによって下方に押圧された状態で前記トゥピースシェルの前記下面の溝に収容されており、前記固定板の前記係止部の歯型に嵌り込む形状で下面に形成された被係止部が前記係止部に並んでいる複数の歯型のいずれかと噛合って係止されており、他方の端部に前記トゥピースシェルより外側に突き出して形成された操作部を備えることを特徴とするスキー靴締め具のトゥピース。
【請求項２】
スキー靴の爪先部を保持するトゥピースおよび踵部を保持するヒールピースにより構成されるスキー靴締め具の前記トゥピースが、その上面に取り付けられてスキー板に固定されるトゥプレート装置であって、上面にトゥピースが取り付けられるトゥプレートと、複数個の穴でスキー板へネジ止めされるトゥ固定板と、係止解除レバーおよび等によって構成されており、
前記トゥプレートは、両側方で前後方向へ相互平行に伸びたスライド被保持部と、下向面の略巾中央に下面の溝を備え、
前記トゥ固定板は、両側方で前記スライド被保持部に対応した断面形状で相互平行に伸びて前記トゥプレートを前後方向へスライド可能に保持するスライド保持部と、略巾中央には前後方向に連続して並んでいる複数の歯型形状の穴あるいは凹みからなる係止部を備えて、前記トゥプレートの下方に配置されており、
前記トゥプレートと前記トゥ固定板との間に配置されて前後方向に伸びた係止解除レバーは、一方の端部を支点とする若干の上下方向の回動のみ許容され、且つ１個又は複数のバネによって下方に押圧された状態で前記トゥプレートの前記下面の溝に収容されており、前記トゥ固定板の前記係止部の歯型に嵌り込む形状で下面に形成された被係止部が前記係止部に並んでいる複数の歯型のいずれかと噛合って係止されており、他方の端部に前記トゥプレートより外側に突き出して形成された操作部を備えることを特徴とするスキー靴締め具用のトゥプレート装置。
【請求項３】
スキー靴の爪先部を保持するトゥピースおよび踵部を保持するヒールピースにより構成されるスキー靴締め具の前記ヒールピースが、その上面に取り付けられてスキー板に固定されるヒールプレート装置であって、上面にヒールピースが取り付けられるヒールプレートと、複数個の穴でスキー板へネジ止めされるヒール固定板と、係止解除レバーおよびバネによって構成されており、
前記ヒールプレートは、両側方で前後方向へ相互平行に伸びたスライド被保持部と、下向面の略巾中央に下面の溝を備え、
前記ヒール固定板は、両側方で前記スライド被保持部に対応した断面形状で相互平行に伸びて前記ヒールプレートを前後方向へスライド可能に保持するスライド保持部と、略巾中央には前後方向に連続して並んでいる複数の歯型形状の穴あるいは凹みからなる係止部を備えて、前記ヒールプレートの下方に配置されており、
前記ヒールプレートと前記ヒール固定板との間に配置されて前後方向に伸びた係止解除レバーは、一方の端部を支点とする若干の上下方向の回動のみ許容され、且つ１個又は複数のバネによって下方に押圧された状態で前記ヒールプレートの前記下面の溝に収容されており、前記ヒール固定板の前記係止部の歯型に嵌り込む形状で下面に形成された被係止部が前記係止部に並んでいる複数の歯型のいずれかと噛合って係止されており、他方の端部に前記ヒールプレートより外側に突き出して形成された操作部を備えることを特徴とするスキー靴締め具用のヒールプレート装置。
【発明の詳細な説明】
【０００１】
【発明の属する技術分野】
本発明は、スキー靴をスキー板に固定するために、爪先部を保持するトゥピースおよび踵部を保持するヒールピースにより構成されるスキー靴締め具のトゥピース、並びにトゥピースを取り付けるトゥプレート装置およびヒールピースを取り付けるヒールプレート装置に関するものであって、スキー板に対して前後方向に位置調節ができる機能を付加しようとするものである。
【０００２】
【従来の技術】
スキー靴をスキー板に固定するためのスキー靴締め具は爪先部を保持するトゥピースおよび踵部を保持するヒールピースにより構成され、使用されるスキー靴の所定サイズに合わせてスキー板の長手方向所定の位置に取り付けて使用される。
実際にはスキー靴の長さ方向の中央に印されている靴センター指示線がスキー板の長さ方向の中央に印されているセンター指示線の位置に合致するようにトゥピースおよびヒールピースを位置決めして取り付けるのが通常であって、スキー板のセンター指示線はそのスキーの滑走性能を最大限に引き出すためのスキー靴センター位置としてメーカーが示しているものである。
【０００３】
通常のスキー靴締め具では、トゥピースとヒールピースの間で弾力的にスキー靴を保持するために、ヒールピースには緩衝用バネが内蔵されていてスキー靴を程よくトゥピースの方へ押圧するように、且つまた別のサイズのスキー靴を使用する場合にも対応するように前後方向に若干の範囲で移動調節ができる構造になっており、この移動調節範囲を特別に長くしてより長い範囲のスキー靴サイズに対応できるヒールピースもあってレンタル用等に使用されているが、トゥピースにはこのような移動調節機能が無いのが一般的である。
このため所定サイズのスキー靴とは別のサイズのスキー靴を使用すると、より大きなスキー靴の場合はスキー板の長手方向所定の位置より後方に、より小さなスキー靴の場合は前方にずれてしまうことになる。これはスキーヤーがそのスキー本来の最適な加重位置に乗ることができないためにそのスキー本来の性能を引き出せない要因の一つとなっており、近年のスキー長さの短縮化や性能の著しい向上によってスキー板への加重位置の正確さがより求められるようになり、ことにカービングスキーの普及に伴ってクローズアップされている。
本課題を解決しようとして、例えば特許公開公報「特開平０５−２２０２４９」に記載されたものが提案されているが、まだ緒についたばかりで普及してはいない。靴センター位置を調節可能なスキー靴締め具の、より簡易で確実な構成による安価な普及品の提供が待たれ、また従来の一般的なスキー靴締め具にも上記調節機能を付加する装置の提案が待たれるところである。
【０００４】
【発明が解決しようとする課題】
本発明はこのような従来の問題を解決しようとするもので、スキー靴サイズの変更に対応して簡単な操作で靴センターを所定のスキーセンター位置に移動できるスキー靴締め具の前後位置調節可能なトゥピースを簡易な構成で提供すること、並びに現在流布している一般的で安価なスキー靴締め具であっても、これを併用することによって靴センター位置を調節可能にするトゥプレート装置と、より長い移動調節範囲を付加してスキー靴サイズの自由な変更に対応することができるヒールプレート装置を簡易な構成で提供することを目的とする。
【０００５】
【課題を解決するための手段】
上記目的を達成するために、本発明によるスキー靴締め具のトゥピースは、その外殻部材であるトゥピースシェルが、下部の両側方で前後方向へ相互平行に伸びたスライド被保持部と、下向面の略巾中央に下面の溝を備え、
複数個の穴でスキー板へネジ止めされる固定板は、両側方で前記スライド被保持部に対応した断面形状で相互平行に伸びて前記トゥピースシェルを前後方向へスライド可能に保持するスライド保持部と、略巾中央には前後方向に連続して並んでいる複数の歯型形状の穴あるいは凹みからなる係止部を備えて、前記トゥピースシェルの下方に配置されており、
前記トゥピースシェルと前記固定板との間に配置されて前後方向に伸びた係止解除レバーは、一方の端部を支点とする若干の上下方向の回動のみ許容され、且つ１個又は複数のバネによって下方に押圧された状態で前記トゥピースシェルの前記下面の溝に収容されており、前記固定板の前記係止部の歯型に嵌り込む形状で下面に形成された被係止部が前記係止部に並んでいる複数の歯型のいずれかと噛合って係止されており、他方の端部に前記トゥピースシェルより外側に突き出して形成された操作部を備える。
該操作部を上方へ持ち上げることによって、前記被係止部と前記固定板の前記係止部との噛合い係止を解除できる構成として従来の課題を解決しようと図ったものである。
【０００６】
また、本発明によるスキー靴締め具用のトゥプレート装置は、上面にトゥピースが取り付けられるトゥプレートと、複数個の穴でスキー板へネジ止めされるトゥ固定板と、係止解除レバーおよびバネによって構成されており、
前記トゥプレートは、両側方で前後方向へ相互平行に伸びたスライド被保持部と、下向面の略巾中央に下面の溝を備え、
前記トゥ固定板は、両側方で前記スライド被保持部に対応した断面形状で相互平行に伸びて前記トゥプレートを前後方向へスライド可能に保持するスライド保持部と、略巾中央には前後方向に連続して並んでいる複数の歯型形状の穴あるいは凹みからなる係止部を備えて、前記トゥプレートの下方に配置されており、
前記トゥプレートと前記トゥ固定板との間に配置されて前後方向に伸びた係止解除レバーは、一方の端部を支点とする若干の上下方向の回動のみ許容され、且つ１個又は複数のバネによって下方に押圧された状態で前記トゥプレートの前記下面の溝に収容されており、前記トゥ固定板の前記係止部の歯型に嵌り込む形状で下面に形成された被係止部が前記係止部に並んでいる複数の歯型のいずれかと噛合って係止されており、他方の端部に前記トゥプレートより外側に突き出して形成された操作部を備える。
該操作部を上方へ持ち上げることによって、前記被係止部と前記トゥ固定板の前記係止部との噛合い係止を解除できる構成として従来の問題を解決しようと図ったものである。
【０００７】
また、本発明によるスキー靴締め具用のヒールプレート装置は、上面にヒールピースが取り付けられるヒールプレートと、複数個の穴でスキー板へネジ止めされるヒール固定板と、係止解除レバーおよびバネによって構成されており、
前記ヒールプレートは、両側方で前後方向へ相互平行に伸びたスライド被保持部と、下向面の略巾中央に下面の溝を備え、
前記ヒール固定板は、両側方で前記スライド被保持部に対応した断面形状で相互平行に伸びて前記ヒールプレートを前後方向へスライド可能に保持するスライド保持部と、略巾中央には前後方向に連続して並んでいる複数の歯型形状の穴あるいは凹みからなる係止部を備えて、前記ヒールプレートの下方に配置されており、
前記ヒールプレートと前記ヒール固定板との間に配置されて前後方向に伸びた係止解除レバーは、一方の端部を支点とする若干の上下方向の回動のみ許容され、且つ１個又は複数のバネによって下方に押圧された状態で前記ヒールプレートの前記下面の溝に収容されており、前記ヒール固定板の前記係止部の歯型に嵌り込む形状で下面に形成された被係止部が前記係止部に並んでいる複数の歯型のいずれかと噛合って係止されており、他方の端部に前記ヒールプレートより外側に突き出して形成された操作部を備える。
該操作部を上方へ持ち上げることによって、前記被係止部と前記ヒール固定板の前記係止部との噛合い係止を解除できる構成として従来の問題を解決しようと図ったものである。
【０００８】
【発明の実施の形態】
以下、本発明に係わるスキー靴締め具のトゥピース、並びにプレート装置の好適な実施の形態を添付図面に基づいて詳細に説明する。
図１、図２は本発明に係わるトゥピースを、進行方向の左側面やや前上方、並びにやや前下方から見た展開斜視図である。
トゥピースの外殻部材であるトゥピースシェル１１は、合成樹脂材等から成型したものであって、下部の両側方に顎状に突き出た断面形状のスライド被保持部１２が前後方向へ相互平行に伸びて形成されている。また下向面には略巾中央に前後方向へ伸びた下面の溝１３が設けられ、その前方よりで両側方へ伸びた横向溝１４が十字架状に交差しており、該両横向溝１４の下面にはバネ収容凹部１５が備えられバネ３９の上端部を収容している。また下面の溝１３の後端部は洞穴状に後方へ抉られて支点顎１６が形成されている。
トゥピースシェル１１の下方に配置されてスキー板に固定される固定板２１は、ステンレス鋼板等から成型したもので、その両側方には上方内側にカールした断面形状のスライド保持部２２が前後方向へ相互平行に伸びていて、トゥピースシェル１１のスライド被保持部１２を包みこむようにしてスライド可能に保持できるように形成されており、且つ略巾中央には前後方向に連続して並んでいる複数の歯型形状の穴からなる係止部２３が形成されている。
４個の取り付けネジ２５は、トゥピースの上下に貫通した取り付けネジ通過穴１７を通過して、固定板２１に設けられた４個の取り付け穴２４に挿入され、スキー板００に締込まれる。
トゥピースシェル１１と固定板２１との間に配置される係止解除レバー３１は、ステンレス鋼板等から成型したもので、前後方向へ板状に伸びていて且つ前方よりの位置で側腕部３３が十字架状に交差して両側方へ伸びており、該側腕部３３はトゥピースシェル１１の両横向溝１４内で若干の隙間をもって抜き挿しできるように形成され、その上面にはバネ受け突起３５が設けられている。十字交差位置のやや後方下面には被係止部３２が、固定板２１の係止部２３に並んでいる複数の歯型の一つに嵌り込む形状で形成されている。また後端部３６はトゥピースシェル１１の支点顎１６の上に入り込むように形成され、前方の端部にはトゥピースシェル１１の切欠き空間１８から抜け出して外側に突き出るように形成された操作部３４を備えている。
【０００９】
図３は本発明に係わるトゥピースの、スキー板に取り付けて実際に使用する状態を示す側面図である。
トゥピース０１が固定板２１の取り付け穴を介して取り付けネジ２５によりスキー板００にネジ止めされて取り付けられており、スキー靴０の爪先部を保持している。係止解除レバー３１の操作部３４がトゥピースシェル１１の前部の切欠き空間から抜け出して外側に突き出ている。
後方にはスキー靴締め具のヒールピース０７がスキー板００にネジ止めされて取り付けられており、スキー靴０の踵部を保持している。
【００１０】
図４は本発明に係わるトゥピースの、中央およびバネの中心位置で下方部分のみを断面した側面図である。
係止解除レバー３１はトゥピースシェル１１の下面の溝１３に収容されていて、その側腕部３３が若干の隙間をもって抜き挿しできるように横向溝１４内に挿入されており、且つその後端部３６が支点顎１６の上に入り込んでいるので、該後端部３６を支点とする若干の上下方向の回動のみ許容されており、且つ側腕部３３の上面に設けられたバネ受け突起３５が上端部をバネ収容凹部１５に収容されたバネ３９によって適度に下方に押圧されており、下面に突起形成された被係止部３２が固定板２１の係止部２３に設けられた複数の歯型の一つと噛合うよう付勢されるので係止状態となっている。従って固定板２１に対してトゥピースシェル１１が前後にスライド移動することを許容しない。
【００１１】
図５は本発明に係わるトゥピースの、係止解除レバーを操作して噛合い係止を解除した状態を、中央およびバネの中心位置で下方部分のみを断面した側面図である。
係止解除レバー３１の操作部３４を指等でバネ３９の押圧力に抗して上方に引上げると、後端部３６が支点となって上方向へ回動して、被係止部３２が固定板２１の係止部２３との噛合いから解放されて係止を解除した状態になる。従って固定板２１に対してトゥピースシェル１１が前後にスライド移動することを許容するので任意に位置調節ができ、操作部３４を放すと再び係止状態となる。
【００１２】
図６、図７は本発明に係わるプレート装置を、進行方向の左側面やや前上方並びにやや前下方から見た展開斜視図である。
トゥプレート装置４０は、上面にトゥピース０１が取り付けられるトゥプレート４１と、複数個の穴でスキー板へネジ止めされるトゥ固定板５１と、係止解除レバー６１と、バネ６９および取り付けネジ５５によって構成されており、
トゥプレート４１は合成樹脂材等から成型したものであって、トゥピース０１が取り付けできる上平面を備えて板状に前後方向に伸びており、両側方に顎状に突き出た断面形状のスライド被保持部４２が前後方向へ相互平行に伸びて形成されている。また下向面には略巾中央に前後方向へ伸びた下面の溝４３が設けられ、該下面の溝４３内には、前端部に洞穴状に前方へ抉られて形成された支点顎４４と、略中央部に下方突起４５、および後部近傍の下面にバネ収容凹部４６が形成されている。
トゥプレート４１の下方に配置されるトゥ固定板５１は、ステンレス鋼板等から成型したもので、その両側方には上方内側にカールした断面形状のスライド保持部５２ａ、５２ｂが前後方向へ相互平行に伸びていて、トゥプレート４１のスライド被保持部４２を包みこむようにしてスライド可能に保持できるように形成されており、且つ略巾中央には前後方向に連続して並んでいる複数の歯型形状の穴からなる係止部５３が形成されている。
４個の取り付けネジ５５は、トゥプレート４１の上下に貫通した取り付けネジ通過穴４８を通過して、トゥ固定板５１に設けられた４個の取り付け穴５４に挿入され、スキー板００に締込まれる。
トゥプレート４１とトゥ固定板５１との間に配置される係止解除レバー６１は、ステンレス鋼板等から前後方向に伸びた形状に成型したもので、その略中央にトゥ固定板５１の係止部５３に並んでいる複数の歯型の一つに嵌り込む形状で下面に突き出た被係止部６２と、トゥプレート４１の下方突起４５が若干の隙間をもって抜き挿しできる挿入穴６３が設けられ、前方の端部にトゥプレート４１の支点顎４４の上に入り込むように形成され前端部６６と、後方の端部に切欠き空間４９から抜け出して外側に突き出るように形成された操作部６４と、そのやや前方上面にバネ受け突起６５を備えている。
【００１３】
ヒールプレート装置７０は、上面にヒールピース０７が取り付けられるヒールプレート７１と、複数個の穴でスキー板へネジ止めされるヒール固定板８１と、係止解除レバー９１と、バネ９９および取り付けネジ８５によって構成されており、
ヒールプレート７１は合成樹脂樹脂材等から成型したものであって、ヒールピース０７が取り付けできる上平面を備えて板状に前後方向に伸びており、両側方に顎状に突き出た断面形状のスライド被保持部７２が前後方向へ相互平行に伸びて形成されている。また下向面には略巾中央に前後方向へ伸びた下面の溝７３が設けられ、該下面の溝７３内には、前端部に洞穴状に後方へ抉られて形成された支点顎７４と、略中央部に下方突起７５、および後部近傍の下面にバネ収容凹部７６が形成されている。
ヒールプレート７１の下方に配置されるヒール固定板８１は、ステンレス鋼板等から成型したもので、その両側方には上方内側にカールした断面形状のスライド保持部８２ａ、８２ｂが前後方向へ相互平行に伸びていて、ヒールプレート７１のスライド被保持部７２を包みこむようにしてスライド可能に保持できるように形成されており、且つ略巾中央には前後方向に連続して並んでいる複数の歯型形状の穴からなる係止部８３が形成されている。
４個の取り付けネジ８５は、ヒールプレート７１の上下に貫通した取り付けネジ通過穴７８を通過して、ヒール固定板８１に設けられた４個の取り付け穴８４に挿入され、スキー板００に締込まれる。
ヒールプレート７１とヒール固定板８１との間に配置される係止解除レバー９１は、ステンレス鋼板等から前後方向に伸びた形状に成型したもので、その略中央にヒール固定板８１の係止部８３に並んでいる複数の歯型の一つに嵌り込む形状で下面に突き出た被係止部９２と、ヒールプレート７１の下方突起７５が若干の隙間をもって抜き挿しできる挿入穴９３が設けられ、前方の端部にヒールプレート７１の支点顎７４の上に入り込むように形成された前端部９６と、後方の端部にヒールプレート７１の切欠き空間７９から抜け出して外側に突き出るように形成された操作部９４と、そのやや前方上面にバネ受け突起９５を備えている。
【００１４】
トゥプレート装置４０を構成するトゥプレート４１の後部にはやや巾の狭いレール状に伸びた被連結部４７が形成されており、ヒールプレート装置７０を構成するヒールプレート７１の前部下面には連結凹み７７が形成されていて、被連結部４７を上方から覆い込むようにして両者相互がスライド可能に連結されている。
【００１５】
図８は本発明に係わるプレート装置の、スキー板に取り付けて実際に使用する状態を示す側面図である。
トゥプレート装置４０がトゥ固定板５１の取り付け穴５４を介して取り付けネジ５５によりスキー板００にネジ止めされており、トゥプレート４１の上面にはスキー靴締め具のトゥピース０１が取り付けられてスキー靴０の爪先部を保持している。
ヒールプレート装置７０がヒール固定板８１の取り付け穴８４を介して取り付けネジ８５によりスキー板００にネジ止めされており、ヒールプレート７１の上面にはスキー靴締め具のヒールピース０７が取り付けられてスキー靴０の踵部を保持している。
【００１６】
図９は本発明に係わるトゥプレート装置を、中央で断面した側面図である。
係止解除レバー６１はトゥプレート４１の下面の溝４３に収容されていて、その略中央に設けられた挿入穴６３には下方突起４５が若干の隙間をもって抜き挿しできるよう挿入しており、且つその前端部６６が支点顎４４の上に入り込んでいるので、該前端部６６を支点とする若干の上下方向の回動のみ許容されており、且つ後部上面に設けられたバネ受け突起６５が上端部をバネ収容凹部４６に収容されたバネ６９によって適度に下方に押圧されており、下面に突起形成された被係止部６２がトゥ固定板５１の係止部５３に設けられた複数の歯型の一つと噛合うよう付勢されるので係止状態となっている。従ってトゥ固定板５１に対してトゥプレート４１が前後にスライド移動することを許容しない。
【００１７】
図１０は本発明に係わるトゥプレート装置の、係止解除レバーを操作して噛合い係止を解除した状態を、中央で断面した側面図である。
係止解除レバー６１の操作部６４を指等でバネ６９の押圧力に抗して上方に引上げると、前端部６６が支点となって上方向へ回動して、被係止部６２がトゥ固定板５１の係止部５３との噛合いから解放されて係止を解除した状態になる。従ってトゥ固定板５１に対してトゥプレート４１が前後にスライド移動することを許容するので任意に位置調節ができ、操作部６４を放すと再び係止状態となる。
【００１８】
図１１は本発明に係わるヒールプレート装置を、中央で断面した側面図である。
係止解除レバー９１はヒールプレート７１の下面の溝７３に収容されていて、その略中央に設けられた挿入穴９３には下方突起７５が若干の隙間をもって抜き挿しできるよう挿入しており、且つその前端部９６が支点顎７４の上に入り込んでいるので、該前端部９６を支点とする若干の上下方向の回動のみ許容されており、且つ後部上面に設けられたバネ受け突起９５が上端部をバネ収容凹部７６に収容されたバネ９９によって適度に下方に押圧されており、下面に突起形成された被係止部９２がヒール固定板８１の係止部８３に設けられた複数の歯型の一つと噛合うよう付勢されるので係止状態となっている。従ってヒール固定板８１に対してヒールプレート７１が前後にスライド移動することを許容しない。
【００１９】
図１２は本発明に係わるヒールプレート装置の、係止解除レバーを操作して噛合い係止を解除した状態を、中央で断面した側面図である。
係止解除レバー９１の操作部９４を指等でバネ９９の押圧力に抗して上方に引上げると、前端部９６が支点となって上方向へ回動して、被係止部９２がヒール固定板８１の係止部８３との噛合いから解放されて係止を解除した状態になる。従ってヒール固定板８１に対してヒールプレート７１がスライド移動することを許容するので任意に位置調節ができ、操作部９４を放すと再び係止状態となる。
【００２０】
【発明の効果】
以上のように、請求項１、２記載の発明によれば、スキー靴サイズの変更に対応して簡単な操作で靴センターを所定のスキーセンター位置に移動できるスキー靴締め具の前後位置調節可能なトゥピースあるいはトゥプレート装置を簡易な構成で提供できる。本発明のトゥピースを使用することによって、また一般的に普及しているスキー靴締め具のトゥピースであっても、本発明のトゥプレート装置を併用することによってトゥピースに位置調節機能を付加できるので、スキー靴をスキー板の正確な加重位置に合わせられ、スキー板が備える本来の性能を正確に引き出すことができる。更には上級あるいは競技スキーヤーが独自の滑走技術を追求するために必要な加重位置の”意図的なずらし移動”調節も簡単に行うことができる。
【００２１】
また請求項３記載の発明によれば、ヒールピースの移動調節範囲が少ない一般的で安価なスキー靴締め具においても、簡易な構成による本発明のヒールプレート装置を併用することによってより長い移動調節範囲を付加してスキー靴サイズの自由な変更に対応でき、且つトゥプレート装置と相まってそのスキー靴を適合したスキー板の正確な加重位置に合わせることができる。
ヒールピースの移動調節範囲だけを長くしたレンタル用等の特別仕様スキー靴締め具においてスキー靴サイズが変わると加重位置が違ってしまうと云う欠陥が払拭されていないが、一般的で安価なスキー靴締め具の普及品であっても本発明のヒールプレート装置とトゥプレート装置とを併用することによって、上記の欠陥を払拭して多様なスキー靴サイズに対応するレンタルスキー用に供することもできる。また、どんどん足が大きくなる成長期の少年少女スキーヤーのために供して、スキー靴サイズ変化に対応できることも本発明の効果である。
【００２２】
【図面の簡単な説明】
【図１】本発明に係わるトゥピースを、進行方向の左側面やや前上方から見た展開斜視図である。
【図２】本発明に係わるトゥピースを、進行方向の左側面やや前下方から見た展開斜視図である。
【図３】本発明に係わるトゥピースの、スキー板に取り付けて実際に使用する状態を示す側面図である。
【図４】本発明に係わるトゥピースの、中央およびバネの中心位置で下方部分のみを断面した側面図である。
【図５】本発明に係わるトゥピースの、係止解除レバーを操作して噛合い係止を解除した状態を、中央およびバネの中心位置で下方部分のみを断面した側面図である。
【図６】本発明に係わるプレート装置を、進行方向の左側面やや前上方から見た展開斜視図である。
【図７】本発明に係わるプレート装置を、進行方向の左側面やや前下方から見た展開斜視図である。
【図８】本発明に係わるプレート装置の、スキー板に取り付けて実際に使用する状態を示す側面図である。
【図９】本発明に係わるトゥプレート装置を、中央で断面した側面図である。
【図１０】本発明に係わるトゥプレート装置の、係止解除レバーを操作して噛合い係止を解除した状態を、中央で断面した側面図である。
【図１１】本発明に係わるヒールプレート装置を、中央で断面した側面図である。
【図１２】本発明に係わるヒールプレート装置の、係止解除レバーを操作して噛合い係止を解除した状態を、中央で断面した側面図である。
【符号の説明】
０        スキー靴
００      スキー板
０１      スキー靴締め具のトゥピース
０７      スキー靴締め具のヒールピース
１１      トゥピースシェル
１２      スライド被保持部
１３      下面の溝
１４      横向溝
１５      バネ収容凹部
１６      支点顎
１７      取り付けネジ通過穴
１８      切欠き空間
２１      固定板
２２      スライド保持部
２３      係止部
２４      取り付け穴
２５      取り付けネジ
３１      係止解除レバー
３２      被係止部
３３      側腕部
３４      操作部
３５      バネ受け突起
３６      後端部
３９      バネ
４０      トゥプレート装置
４１      トゥプレート
４２      スライド被保持部
４３      下面の溝
４４      支点顎
４５      下方突起
４６      バネ収容凹部
４７      被連結部
４８      取り付けネジ通過穴
４９      切欠き空間
５１      トゥ固定板
５２ａ    スライド保持部
５２ｂ    スライド保持部
５３      係止部
５４      取り付け穴
５５      取り付けネジ
６１      係止解除レバー
６２      被係止部
６３      挿入穴
６４      操作部
６５      バネ受け突起
６６      前端部
６９      バネ
７０      ヒールプレート装置
７１      ヒールプレート
７２      スライド被保持部
７３      下面の溝
７４      支点顎
７５      下方突起
７６      バネ収容凹部
７７      連結凹み
７８      取り付けネジ通過穴
７９      切欠き空間
８１      ヒール固定板
８２ａ    スライド保持部
８２ｂ    スライド保持部
８３      係止部
８４      取り付け穴
８５      取り付けネジ
９１      係止解除レバー
９２      被係止部
９３      挿入穴
９４      操作部
９５      バネ受け突起
９６      前端部
９９      バネ
【図１】
2004357989.tif 000003
【図２】
2004357989.tif 000004
【図３】
2004357989.tif 000005
【図４】
2004357989.tif 000006
【図５】
2004357989.tif 000007
【図６】
2004357989.tif 000008
【図７】
2004357989.tif 000009
【図８】
2004357989.tif 000010
【図９】
2004357989.tif 000011
【図１０】
2004357989.tif 000012
【図１１】
2004357989.tif 000013
【図１２】
2004357989.tif 000014